【手続補正書】
【提出日】平成17年12月20日(2005.12.20)
【手続補正１】
【補正対象書類名】明細書
【補正対象項目名】特許請求の範囲
【補正方法】変更
【補正の内容】
【特許請求の範囲】
【請求項１】  動画映像データの過去フレーム内の或る画素を代表点として設定する代表点設定手段と、
現在フレームの画素データ値と、上記代表点の画素データ値を比較して、比較結果に基づいて上記代表点との対応が推定される候補点としての画素データを判定する比較判定手段と、
上記比較判定手段で判定された候補点を記憶する記憶手段と、
上記記憶手段に記憶された候補点が空間的に連続した画素領域を候補領域とし、該候補領域の重心点を算出する重心算出手段と、
上記代表点を始点とし、上記重心点を終点として動きベクトルを検出するベクトル検出手段と、
を備えたことを特徴とする動きベクトル検出装置。
【請求項２】  上記比較判定手段は、現在フレーム内で、上記代表点に相当する画素位置を中心とした所定画素範囲を探索領域とし、該探索領域内の各画素データについて、上記代表点の画素データ値との比較を行うことを特徴とする請求項１に記載の動きベクトル検出装置。
【請求項３】  上記重心算出手段は、上記候補領域が複数存在する場合は、最大の候補領域を選択して、選択した候補領域について重心点を算出することを特徴とする請求項１に記載の動きベクトル検出装置。
【請求項４】  上記代表点設定手段は、上記重心算出手段で算出された重心点に対応する現在フレームの画素を、次のフレームに対する代表点とすることを特徴とする請求項１に記載の動きベクトル検出装置。
【請求項５】  動画映像データの過去フレーム内での複数の代表点を設定し、上記各代表点を用いて動きベクトルを検出するために、
上記比較判定手段、上記記憶手段、上記重心算出手段、及び上記ベクトル検出手段が、上記複数の代表点のそれぞれに対応するように設けられることを特徴とする請求項１に記載の動きベクトル検出装置。
【請求項６】  動画映像データの過去フレーム内の或る画素を代表点として設定する代表点設定手段と、
現在フレームの画素データ値と、上記代表点の画素データ値を比較して、比較結果に基づいて上記代表点との対応が推定される候補点としての画素データを判定する比較判定手段と、
上記候補点が走査方向に連続する候補線分として、最大長となる候補線分を判定する線分判定手段と、
上記線分判定手段で最大線分と判定された候補線分の中点を算出する中点算出手段と、
上記代表点を始点とし、上記中点を終点として動きベクトルを検出するベクトル検出手段と、
を備えたことを特徴とする動きベクトル検出装置。
【請求項７】  上記比較判定手段は、現在フレーム内で、上記代表点に相当する画素位置を中心とした所定画素範囲を探索領域とし、該探索領域内の各画素データについて、上記代表点の画素データ値との比較を行うことを特徴とする請求項６に記載の動きベクトル検出装置。
【請求項８】  上記代表点設定手段は、上記中点算出手段で算出された中点に対応する現在フレームの画素を、次のフレームに対する代表点とすることを特徴とする請求項６に記載の動きベクトル検出装置。
【請求項９】  動画映像データの過去フレーム内での複数の代表点を設定し、上記各代表点を用いて動きベクトルを検出するために、
上記比較判定手段、上記線分判定手段、上記中点算出手段、及び上記ベクトル検出手段が、上記複数の代表点のそれぞれに対応するように設けられることを特徴とする請求項６に記載の動きベクトル検出装置。
【請求項１０】  動画映像データの過去フレーム内の或る画素を代表点として設定する代表点設定ステップと、
現在フレームの画素データ値と、上記代表点の画素データ値を比較して、比較結果に基づいて上記代表点との対応が推定される候補点としての画素データを判定する比較判定ステップと、
上記比較判定ステップで判定された候補点を記憶する記憶ステップと、
上記記憶ステップで記憶された候補点が空間的に連続した画素領域を候補領域とし、該候補領域の重心点を算出する重心算出ステップと、
上記代表点を始点とし、上記重心点を終点として動きベクトルを検出するベクトル検出ステップと、
を備えたことを特徴とする動きベクトル検出方法。
【請求項１１】  動画映像データの過去フレーム内の或る画素を代表点として設定する代表点設定ステップと、
現在フレームの画素データ値と、上記代表点の画素データ値を比較して、比較結果に基づいて上記代表点との対応が推定される候補点としての画素データを判定する比較判定ステップと、
上記候補点が走査方向に連続する候補線分として、最大長となる候補線分を判定する線分判定ステップと、
上記線分判定ステップで最大線分と判定された候補線分の中点を算出する中点算出ステップと、
上記代表点を始点とし、上記中点を終点として動きベクトルを検出するベクトル検出ステップと、
を備えたことを特徴とする動きベクトル検出方法。
【請求項１２】  動画映像データの過去フレーム内の或る画素を代表点として設定する代表点設定ステップと、
現在フレームの画素データ値と、上記代表点の画素データ値を比較して、比較結果に基づいて上記代表点との対応が推定される候補点としての画素データを判定する比較判定ステップと、
上記比較判定ステップで判定された候補点を記憶する記憶ステップと、
上記記憶ステップで記憶された候補点が空間的に連続した画素領域を候補領域とし、該候補領域の重心点を算出する重心算出ステップと、
上記代表点を始点とし、上記重心点を終点として動きベクトルを検出するベクトル検出ステップと、
を演算装置に実行させるプログラム。
【請求項１３】  動画映像データの過去フレーム内の或る画素を代表点として設定する代表点設定ステップと、
現在フレームの画素データ値と、上記代表点の画素データ値を比較して、比較結果に基づいて上記代表点との対応が推定される候補点としての画素データを判定する比較判定ステップと、
上記候補点が走査方向に連続する候補線分として、最大長となる候補線分を判定する線分判定ステップと、
上記線分判定ステップで最大線分と判定された候補線分の中点を算出する中点算出ステップと、
上記代表点を始点とし、上記中点を終点として動きベクトルを検出するベクトル検出ステップと、
を演算装置に実行させるプログラム。
【請求項１４】  動画映像データの過去フレーム内の或る画素を代表点として設定する代表点設定ステップと、
現在フレームの画素データ値と、上記代表点の画素データ値を比較して、比較結果に基づいて上記代表点との対応が推定される候補点としての画素データを判定する比較判定ステップと、
上記比較判定ステップで判定された候補点を記憶する記憶ステップと、
上記記憶ステップで記憶された候補点が空間的に連続した画素領域を候補領域とし、該候補領域の重心点を算出する重心算出ステップと、
上記代表点を始点とし、上記重心点を終点として動きベクトルを検出するベクトル検出ステップと、
を演算装置に実行させるプログラムを記録した記録媒体。
【請求項１５】  動画映像データの過去フレーム内の或る画素を代表点として設定する代表点設定ステップと、
現在フレームの画素データ値と、上記代表点の画素データ値を比較して、比較結果に基づいて上記代表点との対応が推定される候補点としての画素データを判定する比較判定ステップと、
上記候補点が走査方向に連続する候補線分として、最大長となる候補線分を判定する線分判定ステップと、
上記線分判定ステップで最大線分と判定された候補線分の中点を算出する中点算出ステップと、
上記代表点を始点とし、上記中点を終点として動きベクトルを検出するベクトル検出ステップと、
を演算装置に実行させるプログラムを記録した記録媒体。